(57)【要約】【課題】ブドウのような房状果実を販売時点において見映え良い状態に包装するために、容易かつ手軽に包装することができるような出荷・展示袋を提供しようとする。【解決手段】角形の平袋１の底辺部２及び一側辺部３を閉じ、上辺部４及び他側辺部５を開口とし、この平袋内に収納する房状果実２０が外部上方から見えるように細い先端部２１を上辺部の開口に向けて持ち上げるように上記底辺部２と一側辺部３の間に存する三角ゾーン内に平袋の表裏を接着して第１支持部１１を設ける。また、房状果実の果柄２３の部分を他側辺部５の中央部分に持ち上げて支持するように、他側辺部５の内側に沿う部分に平袋の表裏を接着して第２支持部１４を設けて房状果実の出荷・展示袋１０とする。上記第１支持部と第２支持部は両方設けたり、いずれか一方だけ設けることができる。【選択図】図２
0003188920.tif 000002
【実用新案登録請求の範囲】
【請求項１】
底辺部及び一側辺部を閉じ、上辺部及び他側辺部を開口とした角形の平袋を有し、該平袋内に収納する房状果実が外部上方から見えるようにその先端部の細くなった部分を上記上辺部の開口に向けて持ち上げられるように底辺部と一側辺部の間に存する三角ゾーン内に平袋の表裏を接着して設けた第１支持部及び／又は房状果実の果柄の部分を上記他側辺部の中央部分に持ち上げて支持するように該他側辺部の内側に沿う部分に平袋の表裏を接着して設けた第２支持部を備える房状果実の出荷・展示袋。
【請求項２】
上記平袋に形成した第１接合部及び／又は第２接合部が点状に接着されて形成されている請求項１に記載の房状果実の出荷・展示袋。
【請求項３】
上記平袋に形成した第１接合部及び／又は第２接合部が棒状に接着されて形成されている請求項１または２に記載の房状果実の出荷・展示袋。
【請求項４】
上記平袋の上辺部の他側辺部側には、他側辺部を果柄に巻き付けた状態で閉じることができる結束片を設けている請求項１〜３のいずれかに記載の房状果実の出荷・展示袋。
【請求項５】
上記結束片がポリプロピレン樹脂、ポリエチレン樹脂、ポリ乳酸樹脂のいずれかで形成されている請求項４に記載の房状果実の出荷・展示袋。
【考案の詳細な説明】
【技術分野】
【０００１】
本考案は、ぶどう等の房状果実を出荷し、販売時に展示するために使用する出荷・展示袋に関する。
【背景技術】
【０００２】
ぶどう等の房状果実は、そのままダンボール箱に詰めて出荷すると、輸送中に揺られ、互いにぶっつかり合ったりして、果実の粒が柄から落ちることが多く、そうなると販売時の商品価値が低下してしまう。
こうしたことから、栽培時に使用した果実袋と共にぶどうを収穫し、これをそのままダンボール箱に詰めて出荷することが考えられた。しかし、こうした果実袋には栽培中に使用した農薬などが付着している可能性があり、そのまま出荷・展示袋として使用して消費者に渡ることは好ましくないと考えられる。
【０００３】
そこで、ぶどうを出荷専用の包装袋に入れ、この袋の開口を開いたままにして、外から収納されているぶどうを見ることができるようにしたぶどう房包装袋が提供されている。（特許文献１）
【０００４】
しかし、図５，６に示すように、上記包装袋３０に詰める場合、房状果実２０のぶどうは房の上部（肩部）２２が太く、房の先端部２１が細くなっているので、これをそのまま包装袋３０に詰めると、房の先端部２１が包装袋３０の下方に入り込んでしまって、房の先端部までも外部から見えるような体裁の良い包装をすることが難しい。こうしたことを避けるためには、房の先端部２１を上方に持ち上げるように手で調節しながら包む必要があり、手間と熟練を必要とし、包装の効率も上がらない。
また、房の上部の中央には果柄２３があり、この果柄は包装袋３０の側方から外に出るように包むのであるが、果柄２３の部分を袋の側方の中央部分に位置させるように調整しながら、袋の側方部分を果柄に寄せ集めて捻るようにして纏めるという作業が必要で、手間がかかって面倒である。
【先行技術文献】
【特許文献】
【０００５】
【特許文献１】意匠登録第１１９０３０９号
【考案の概要】
【考案が解決しようとする課題】
【０００６】
本考案は、上記の如き特性を有するブドウのような房状果実を販売時点において見映え良い状態に包装するために、容易かつ手軽に包装することができるような出荷・展示袋を提供しようとするものである。
【課題を解決するための手段】
【０００７】
本考案においては、角形の平袋の底辺部及び一側辺部を閉じ、上辺部及び他側辺部を開口とし、この平袋内に収納する房状果実が外部上方から見えるようにその先端部の細くなった部分を上辺部の開口に向けて持ち上げられるように上記底辺部と一側辺部の間に存する三角ゾーン内に平袋の表裏を接着して形成した第１支持部を設ける。また、房状果実の果柄の部分を他側辺部の中央部分に持ち上げて支持できるように他側辺部の内側に沿う部分に平袋の表裏を接着して第２支持部を設けて房状果実の出荷・展示袋とする。
この出荷・展示袋において、上記第１支持部と第２支持部は両方設けたり、いずれか一方だけを設けるようにすることができる。
【考案の効果】
【０００８】
本考案によれば、出荷・展示袋の上辺部の開口を広げて房状果実を袋内に入れると、この房状果実の先端部の細くなっている部分が上記第１支持部によって自然と支えられるので、上記先端部が袋の底の方に入り込むことなく上部からも良く見えるように位置される。また、房状果実の上部の果柄の部分も上記第２支持部によって自然に下から支えられるようになるので、平袋の他側辺部を寄せ集めるようにして果柄の周りに容易に巻き付けることができる。こうして、房状果実の太い上部から細い先端部までその全体を、袋の上部開口から見えるようにした状態で包装することができるので、房状果実を安全に保持することができると共に、その展示効果を上げることが出来る。
【図面の簡単な説明】
【０００９】
【図１】本発明の実施例を示す斜視図である。
【図２】図１に示す出荷・展示袋にぶどうを収納した状態の説明図である。
【図３】図２に示すものの展示状態を示す斜視図である。
【図４】本発明の他の実施例を示す正面図である。
【図５】従来と同様の出荷・展示袋にぶどうを収納した状態の説明図である。
【図６】図５に示すものの展示状態を示す斜視図である。
【考案を実施するための形態】
【００１０】
紙、プラスチックラミネート紙、不織布、プラスチックシート、孔明きプラスチックシートその他の適宜材料で角形の平袋１を形成する。この袋体１の底辺部２及び一側辺部３は閉じられており、上辺部４と他側辺部５は開口とされている。
上記底辺部２と一側辺部３によって区画される三角ゾーン６には、平袋１の表紙７と裏紙８の一部を接着して第１支持部１１を形成しており、房状果実２０を袋に入れた時に房状果実の細くなった先端部２１を下方から支持して、袋上辺の開口部１２から細くなった先端部２１まで見えるようにすることができる。（図２，３）
【００１１】
また、開口となっている他側辺部５の内側に沿う中央部分１３には、上記表紙７と裏紙８の一部を接着して第２支持部１４を形成しており、房状果実２０の上部２２の果柄２３の部分を上方に持ち上げるようにした状態で支持するようになっており、房状果実の上部２２部分も袋上辺の開口部１２から見えるようにしている。（図２，３）
【００１２】
こうした出荷・展示袋１０においては、上記したようにその上辺部４の開口を開いて房状果実を袋１０内に入れると、房状果実の先端部２１は上記第１支持部１１に支えられ、上部２２の果柄２３も第２支持部１４によって支えられるようにして位置決めされて、自然と袋内の正しい位置に収納されるようになる。そして、袋の他側辺部５を果柄２３の周りに巻き付けるようにすれば、房状果実が袋内で動かないように確実に包装され、袋上部の開口部１２から房状果実の頂部２２より先端部２１に至るまでその全体を外方から見ることができるので、販売時における展示効果を一層上げることができる。
【００１３】
図示する出荷・展示袋１０においては、上辺部４の裏紙８を一部折り畳み、この折り畳み部１５の他側辺部５側に結束片１６を挟み込み、その全長に亘ってを糊付けその他によって接着している。また、上記結束片１６に沿うように上記他側辺部５から切線１７を設けて結束片１６を使い易いようにしている。
【００１４】
上記結束片１６は、針金などを使用して設けることができるが、ポリプロピレン樹脂、ポリエチレン樹脂、ポリ乳酸樹脂その他の針金と同様に変形状態を保つことができ、かつ強い力を加えると元に戻すことができるようなものを使用すると、針金に比べて一層安全に使用することができる。
【００１５】
この結束片１６は、上記したように袋体の他側辺部５を果柄２３の周りに巻き付けたあとで上から、さらに巻回するようにして固定すれば、果柄２３部分における固定状態が一層確実に維持することができる。１８は一側辺部の接着部である。
【００１６】
図４に示すものは、上記した第１支持部１１と第２支持部１４を長い棒状に形成したものであり、上記したものと同様に使用することができるもので、房状果実の支持を一層確実に行うことができることもある。
また、こうした第１支持部１１と第２支持部１４は、上記の如き点状のものと、適宜に組み合わせて形成することもできる。
【符号の説明】
【００１７】
１    平袋
２    底辺部
３    一側辺部
４    上辺部
５    他側辺部
７    表紙
８    裏紙
１０  出荷・展示袋
１１  第一支持部
１２  開口部
１４  第二支持部
１６  結束片
２０  房状果実
２１  房状果実の先端部
２２  房状果実の上部
２３  房状果実の果柄
【図１】
0003188920.tif 000003
【図２】
0003188920.tif 000004
【図３】
0003188920.tif 000005
【図４】
0003188920.tif 000006
【図５】
0003188920.tif 000007
【図６】
0003188920.tif 000008